(57)【要約】      （修正有）【課題】複数のカードを収容することができ、カードの損傷を防止するカードの収容構造を備える財布を提供する。【解決手段】外側面部材１０１と内側面部材１０２とは、３辺を縫着することで、紙幣の挿入および取り出しが可能な開口を形成している。曲げ部１０３の右側には硬貨収納部１０４が設けられ、左側には、カード収納部１０５が設けられており、硬貨収納部１０４とカード収納部１０５とは、内側面部材１０２に縫着されている。また、硬貨収納部１０４の上端には、財布１００を折り畳んだ状態を保持するための突出片１０６が設けられている。【選択図】図１
0003134798.tif 000002
【実用新案登録請求の範囲】
【請求項１】
財布本体を折り曲げることにより折り畳み可能とし、該財布本体の内側に硬貨を収納するための硬貨収納部とカード類を収納するためのカード収納部とを備える財布において、
前記カード収納部は、複数のポケットを有し、該複数のポケットが蛇腹状に連設されていることを特徴とする財布。
【請求項２】
前記ポケットは、仕切り壁の両面に設けられていることを特徴とする請求項１に記載の財布。
【請求項３】
前記カード収納部は、袋状に形成されファスナーによって開閉可能なように構成されていることを特徴とする請求項１に記載の財布。
【請求項４】
前記カード収納部は、電磁波遮蔽部材で構成されていることを特徴とする請求項１に記載の財布。
【請求項５】
前記硬貨収納部は、上方が箱状に開口するように形成されていることを特徴とする請求項１に記載の財布。
【考案の詳細な説明】
【技術分野】
【０００１】
本考案は、カードを収納する収納構造を備える財布に関し、特に、複数のカードを収容することができ、カードの損傷を防止するカードの収容構造を備えるようにした財布に関する。
【背景技術】
【０００２】
従来、クレジットカードや、キャッシュカード等のカード類を複数収容ができる収納ケースを備える財布等がある。この財布等では、例えば、複数のポケット部を上下にズラした状態（多段状）に設け、カード類の上部が露出した状態でポケット部内に収容する構成となっている。
【０００３】
このような多段状となったポケット部を備える財布では、財布の大きさや形状によってポケット部が設けられる数が限られてしまうために、収容できるカードの枚数も限られてしまう。
【０００４】
ポケット部の数よりも多くのカードを収容するとき、本来、１つのポケット部には１枚のカードを収容するところに、２枚、３枚を収容するため収容部分が膨らんでしまう。そのため、財布自体の厚みが厚くなってしまうためコンパクト性に欠けるとともに、カードの出し入れが困難となる。さらに、収容部分に負担をかけることとなり、収容部分が裂けたり破けてしまったりすることがある。
【０００５】
そこで、複数のカードを収容できるとともに、カードの取り出しが容易なカード収容構造が特許文献１に提案されている。
このカード収容構造は、収容するカードの両端をその溝相互間で挟み込むために対向する蛇腹状の挟持壁と、該挟持壁相互間に形成されるカードの収容域とを備え、カードをその収容域から出し入れするときには対向する挟持壁の蛇腹状の溝の相互間の間隔が拡大するように構成されている。
これにより、収容域から取り出したいカードの視認を容易にし、複数枚のカードを容易に収容することができるものである。
【特許文献１】特開平０９−１０８０１８号公報
【考案の開示】
【考案が解決しようとする課題】
【０００６】
しかしながら、特許文献１で提案されているカード収容構造によれば、以下のような問題があった。
（１）カード類の両端を蛇腹状の挟持壁が挟持することでカード類を収容域で保持するようにしているが、カード類の両端以外の部分は、カード同士で接触するために他のカードと擦れたりすることでカード表面の印刷や磁気部分が削れてしまうという問題があった。
（２）また、挟持壁でカード類を挟持するには、不十分であり財布を逆さにするとカードが落下し、カードの紛失の原因ともなるという問題があった。
【０００７】
本考案は係る問題に鑑みてなされたものであり、複数のカードを収容することができ、カードの損傷を防止するカードの収容構造を備える財布と提供することを目的とする。
【課題を解決するための手段】
【０００８】
本考案は、上記目的を達成するために、財布本体を折り曲げることにより折り畳み可能とし、該財布本体の内側に硬貨類を収納するための硬貨類収納部とカード類を収納するためのカード類収納部とを備える財布において、前記カード類収納部は、複数のポケットを有し、該複数のポケットが蛇腹状に連設されていることを特徴とする財布を提供するものである。
【０００９】
以上の構成において、前記ポケットは、仕切り壁の両面に設けられていることが望ましく、また、前記カード収納部は、袋状に形成されファスナーによって開閉可能なように構成されていることが望ましく、また、前記カード収納部は、電磁波遮蔽部材で構成されていることが望ましい。
【００１０】
また、前記硬貨収納部は、上方が箱状に開口するように形成されていることが望ましい。
【考案の効果】
【００１１】
本考案によれば、カード収納部を有する財布は、蛇腹状の構成を成す複数のポケットを有することで、複数枚のカードを収納することができ、カードをポケット毎に収納できるために、カード同士の接触によってカード表面の損傷を防止することができる。また、ファスナーを開けることにより、収納したカードを容易に認識することができる。また、複数枚のカードを収納してもファスナーを閉じることで、カード収納部をコンパクトにすることができる。さらに、カード収納部やポケットに電磁波遮蔽部材を用いることで不正なスキミングによるデータの読み取りを防止することができる。
【考案を実施するための最良の形態】
【００１２】
以下、添付図面を参照して、本発明の実施の形態に係る財布について詳細に説明する。
図１は、本実施の形態に係る財布の外観を示す図であり、この財布の構造が明らかになるように財布を広げた状態を示した図である。
図に示すように、この財布１００は、外側面部材１０１と内側面部材１０２とから構成され、曲げ部１０３を中心に折り畳みが可能な構造となっている。この、外側面部材１０１と内側面部材１０２は、その両端と、曲げ部１０３付近を除く部分が縫着されている。この内側面部材１０２には、硬貨類を収納する硬貨収納部１０４と、クレジットカードやキャッシュカードあるいはメンバーカード等のカード類を収納するためのカード収納部１０５と、が縫着されている。また、硬貨収納部１０４側の外側面部材１０１には、財布１００を折り畳んだ状態を保持するための突出片１０６が縫着されている。なお、この財布１００は、皮革、布、合皮等の素材で形成されている。
【００１３】
図２は、カード収納部１０５が開口した状態を示す図である。
図に示すように、カード収納部１０５は、カード類を収納するための複数のポケット２０２と、この複数のポケット２０２に収納されるカード類が何らかの原因で抜け落ちたり落下したりしないように保持する袋体２００と、から構成されている。この袋体２００には、そのためのファスナー２０１が設けられている。また、袋体２００は、一面（図では中央より左側の面）が内側面部材１０２と縫着されている。
【００１４】
複数のポケット２０２は、袋体２００の開袋時に財布１００の長尺方向へ蛇腹状に伸縮するようにして設けられている。このポケット２０２の外面の一部は、隣り合う他のポケット２０２と縫着されており、両端のポケット２０２は、袋体２００の内面と縫着されている。
【００１５】
ポケット２０２の内部には、仕切り壁２０３が設けられている。仕切り壁２０３は、ポケット２０２を構成する袋状の部材の縦方向よりも高く、ポケット２０２の両端と縫着されている。ポケット２０２にカード４００を収納する際には、仕切り壁２０３の両側にカード４００を差し込むようにする。
【００１６】
また、ポケット２０２の側部には、ポケット２０２を補強するための補強部材２０４が縫着されており、何度もカード４００の出し入れを行うことによるポケットの損傷を防止する。
【００１７】
なお、スキミング防止、即ち、カード収納部１０５に収納されるカード類の不正なデータの読み取りを防止するための電磁波遮蔽機能を有するシート（図示せず）を袋体２００もしくはポケット２０２に設けてもよい。
【００１８】
図３は、本実施形態に係る財布１００の硬貨収納部１０４が開口した状態を示した図である。
図３に示すように、硬貨収納部１０４は、蓋部３００と、立ち上がり面部３０１と、側面部３０２，３０３と、底面部３０４とから構成され、蓋部３００と立ち上がり面部３０１とに側面部３０２，３０３が縫着されることで略正方形を形成し、それぞれが底面部３０４に縫着されている。蓋部２００及び立ち上がり面部３０１は、財布１００の外側へ起き上がるようにして開口し、それに伴って、内方に折り込まれていた側面部３０２，３０３が財布１００の外側へ広がるようにして起き上がる。
【００１９】
また、蓋部３００を内方へ閉じようとすると、立ち上がり面部３０１が内方へ折り畳まれ、それに伴って、側面部３０２，３０３が内方へ略三角形に折り込まれるようにして折り畳まれる。
【００２０】
蓋部３００の裏側と立ち上がり面部３０２の表側には、留め具３０５，３０６が設けられており、蓋部３００側の留め具３０５を立ち上がり面部３０２側の留め具２０６に取り付けることで蓋部３００を閉じることができる。
【００２１】
図４は、紙幣収納部を開口させた状態を示した図である。
図４に示すように、紙幣収納部１０７には、仕切り部材１０８が設けられており、仕切り部材１０８は、両側の辺を外側面部材１０１と内側面部材１０２とに縫着されている。仕切り部材１０８を設けることで、紙幣収納部１０７には、紙幣と別にしてレシートや領収書、商品券といったものを収納することができる。
【００２２】
図５は、本実施形態に係る財布を二つ折りにした状態を示した図である。
図５に示すように、硬貨収納部１０１と紙幣収納部１０２とを向かい合わせるようにして、曲げ部１０３で財布１００を折り曲げることで、財布１００を二つ折りにすることができ、コンパクトにすることができる。また、突起片１０６に設けられている留め具１０６ａとカード収納部１０５側の外側面部材１０１に設けられている留め具（図示せず）とを嵌め合わせることで、折り畳んだ状態を保持することができる。
【００２３】
以上説明したように、本実施の形態に係る財布は、複数枚のカード類を収納できるカード収納部を備えている。このカード収納部内に蛇腹状となっている複数のポケットが設けられ、ファスナーを開けることで収納しているカードを容易に認識できるとともに、ポケットごとに設けられている仕切り部材によってカードを複数収納できる。また、ポケットを複数設けているために、より多くのカードを収納できる。
【００２４】
また、仕切り部材によってカード同士の摩擦を防ぐことができ、カード表面の印刷の破損を防止することができる。また、ファスナーを閉じれば複数のポケットをコンパクトに収めることができる。
【００２５】
さらに、カード収納部の袋体や仕切り部材にスキミング防止用の電磁波遮蔽シートを採用することで、収納しているカードの不正なデータの読み取りを防止することができる。
【図面の簡単な説明】
【００２６】
【図１】本実施形態に係る折り畳みが可能な財布を広げた状態を示した図である。
【図２】紙幣収納部を開口させた状態を示した図である。
【図３】財布を二つ折りにした状態を示した図である。
【図４】硬貨収納部が開口した状態を示した図である。
【図５】カード収納部が開口した状態を示した図である。
【符号の説明】
【００２７】
１００    財布
１０１    外側面部材
１０２    内側面部材
１０３    曲げ部
１０４    硬貨収納部
１０５    カード収納部
１０６    突出部
１０７    紙幣収納部
１０８    仕切り部材
２００    袋体
２０１    ファスナー
２０２    ポケット
２０３    仕切り壁
２０４    補強部材
３００    蓋部
３０１    立ち上がり面部
３０２、２０３    側面部
３０４    底面部
３０５、３０６    留め具
【図１】
0003134798.tif 000003
【図２】
0003134798.tif 000004
【図３】
0003134798.tif 000005
【図４】
0003134798.tif 000006
【図５】
0003134798.tif 000007